(57)【要約】【課題】家庭内で患者が測定した医療データを、最小限の操作で病院側へ送信可能な医療データの遠隔収集装置を提供する。【解決手段】複数の医療データを測定する医療データ測定部１１と、測定された医療データを保存する医療データ保存部１２と、通信回線を通じて医療データを送信する医療データ送信部１３とで構成される。保存されている医療データについて、送信相手先及び送信方法に伴う環境設定情報を含む通信情報を記憶しておく医療データ送信情報記憶部２１と、医療データを送信するタイミングを指定する信号を受信する送信タイミング確認信号受信部２２をさらに含む。送信タイミングを指定する信号が入力操作が可能な可搬型携帯端末が有する所定のボタンの押圧をトリガとして発信され、送信タイミング確認信号受信部において、送信タイミングを指定する信号を受信したら、医療データが通信情報に基づいて送信される。【選択図】図１
2006277757.tif 000002
【特許請求の範囲】
【請求項１】
複数の医療データを測定する医療データ測定部と、
前記医療データ測定部において測定された前記医療データを、一又は複数回分保存しておく医療データ保存部と、
通信回線を通じて前記医療データを送信する医療データ送信部とで構成される医療データの遠隔収集装置であって、
前記医療データ保存部に保存されている前記医療データについて、少なくとも送信相手先及び送信方法に伴う環境設定情報を含む通信情報を事前に記憶しておく医療データ送信情報記憶部と、
前記医療データを送信するタイミングを指定する信号を受信する送信タイミング確認信号受信部をさらに含み、
前記医療データを送信するタイミングを指定する信号が、入力操作が可能な可搬型携帯端末が有する所定のボタンの押圧をトリガとして発信され、
前記送信タイミング確認信号受信部において、前記医療データを送信するタイミングを指定する信号を受信したら、前記医療データが前記通信情報に基づいて送信されることを特徴とする医療データの遠隔収集装置。
【請求項２】
前記医療データを統計処理し、グラフ化した映像表示データに加工する医療データグラフィック処理部をさらに有し、
前記医療データを送信するタイミングを指定する信号を受信したら、前記映像表示データも同時に送信される請求項１記載の医療データの遠隔収集装置。
【請求項３】
測定された複数の医療データを、一又は複数回分保存しておく工程と、
通信回線を通じて前記医療データを送信する工程とで構成される医療データの遠隔収集方法であって、
保存されている前記医療データについて、少なくとも送信相手先及び送信方法に伴う環境設定情報を含む通信情報を事前に記憶しておく工程と、
前記医療データを送信するタイミングを指定する信号を、入力操作が可能な可搬型携帯端末が有する所定のボタンの押圧をトリガとして発信する工程と、
前記医療データを送信するタイミングを指定する信号を受信する工程をさらに含み、
前記医療データを送信するタイミングを指定する信号を受信したら、前記医療データが前記通信情報に基づいて送信されることを特徴とする医療データの遠隔収集方法。
【請求項４】
測定された前記医療データを、一又は複数回分保存しておくステップと、
通信回線を通じて前記医療データを送信するステップとで構成される医療データの遠隔収集方法を具現化するコンピュータに実行させるプログラムであって、
保存されている前記医療データについて、少なくとも送信相手先及び送信方法に伴う環境設定情報を含む通信情報を事前に記憶しておくステップと、
入力操作が可能な可搬型携帯端末が有する所定のボタンの押圧をトリガとして発信される前記医療データを送信するタイミングを指定する信号を受信するステップをさらに含み、
前記医療データを送信するタイミングを指定する信号を受信したら、前記医療データが前記通信情報に基づいて送信されることを特徴とするコンピュータに実行させるプログラム。
【発明の詳細な説明】
【技術分野】
【０００１】
本発明は、医療用測定機器を家庭内で患者が使用する場合における、測定データの遠隔収集装置及び方法に関する。
【背景技術】
【０００２】
腹膜透析を行う場合、患者の腹壁を通って腹腔に案内されているカテーテルを介して、患者の身体自身の液体に対して濃度勾配を有する透析液によって腹膜内が充填される。患者の腹膜は半透膜として機能し、患者の身体内の毒素や老廃物等が腹腔内に移動する。そして、腹腔内の毒素や老廃物等を排液とともに体外へ排出する。
【０００３】
具体的には、透析液バッグ、排液バッグ、カテーテルに接続した延長チューブ等を接続して、腹腔内に透析液を注入して、所定時間（３〜５時間）貯留した後に毒素・老廃物等の貯まった液を排液バッグに捨てる。透析液はチューブを通じて患者の腹腔内に注入され、毒素や老廃物等の液もチューブを通じて排液バッグへ捨てられる。
【０００４】
かかる透析を、患者の生活習慣や社会環境等の理由によって、病院ではなく家庭内で行う必要がある場合、医師による病院での診断に基づいた透析実行パターンに基づいて行われ、透析実行時の除水量や体重変化等の測定データは、以後の診療に活用すべく、医療データとして病院側で把握しておく必要がある。
【０００５】
かかる場合に、従来、ＣＡＰＤ患者は、毎回の排液量、除水量、体重、血圧等の測定データを手帳に記入し、病院へ通院する際に当該手帳を持参して病院側へ渡すというのが通常であり、これらのデータについては、病院施設のスタッフがデータベースに入力することでデータファイルを作成するようになっていた。
【０００６】
しかしながら、かかる方法では病院施設のスタッフによる入力作業の負担が大きく、また入力ミス等の人為的ミスが生じるおそれも残されている。一方、ＡＰＤ患者においては、既に透析機器によって測定されたデータ（除水量）及びその他の測定データを集約し、通信回線を通じて病院へ送信する方法が種々考えられており、ＣＡＰＤ患者についても同様に通信回線を通じてデータを送信することが考えられる。しかし、患者自らが送信データを作成する必要があったことから、今度は患者側の作業負担が過大になってしまうという問題があった。
【０００７】
また、患者の症状や体重等は日々変化するため、その日の状況に応じて前回の透析時の目標除水量や透析時間等を弾力的に変更する方が望ましい。したがって、医療データについて、患者が透析を行うごとに病院側へ送信することが好ましく、送信する作業負担については軽ければ軽いほど望ましいことは言うまでもない。
【０００８】
そのように、家庭内で患者が測定した医療データを、患者が病院側へ送信するシステムが、例えば特許文献１に記載されている。
【特許文献１】特開平１０−５２４０７号公報
【発明の開示】
【発明が解決しようとする課題】
【０００９】
しかし、従来の患者が医療データを病院側へ送信するシステムは、患者側の作業負担を十分に軽減できるものではなかった。
【００１０】
本発明は、上記課題を解消すべく、家庭内で患者が測定した医療データを、患者にとって最小限の操作で病院側へ送信することができる医療データの遠隔収集装置及び方法を提供することを目的とする。
【課題を解決するための手段】
【００１１】
本発明にかかる医療データの遠隔収集装置は、複数の医療データを測定する医療データ測定部と、前記医療データ測定部において測定された前記医療データを、一又は複数回分保存しておく医療データ保存部と、通信回線を通じて前記医療データを送信する医療データ送信部とで構成される。上記課題を解決するために、前記医療データ保存部に保存されている前記医療データについて、少なくとも送信相手先及び送信方法に伴う環境設定情報を含む通信情報を事前に記憶しておく医療データ送信情報記憶部と、前記医療データを送信するタイミングを指定する信号を受信する送信タイミング確認信号受信部をさらに含み、前記医療データを送信するタイミングを指定する信号が、入力操作が可能な可搬型携帯端末が有する所定のボタンの押圧をトリガとして発信され、前記送信タイミング確認信号受信部において、前記医療データを送信するタイミングを指定する信号を受信したら、前記医療データが前記通信情報に基づいて送信されることを特徴とする。
【００１２】
かかる構成により、家庭内における腹膜透析において患者が測定した医療データを病院側に送信する場合に、患者は送信タイミングのみを指定すれば必要とされる医療データを病院側へ送信することができ、患者にとっての送信作業負担が最小限で済み、医療行為を妨げることなく確実な医療データの収集が期待できる。
【００１３】
また、患者の身近にある携帯機器をトリガとすることができることから、患者による入力ミスや送信ミスを防止することができ、確実に医療データを病院側へ送信することができるからである。また、ボタン押圧によることから、患者にとっては測定データを転記する必要もなく、入力する必要も無いことから、正確な医療データを病院側へ送信することが可能となる。
【００１４】
また、上記構成において、医療データを統計処理し、グラフ化した映像表示データに加工する医療データグラフィック処理部をさらに有し、医療データを送信するタイミングを指定する信号を受信したら、映像表示データも同時に送信されることが好ましい。医療データの統計情報を目視で瞬時に確認することができ、適切な医療処置をリアルタイムに施すことができるからである。
【００１５】
本発明にかかる医療データの遠隔収集方法は、測定された複数の医療データを、一又は複数回分保存しておく工程と、通信回線を通じて前記医療データを送信する工程とで構成される。上記課題を解決するために、保存されている前記医療データについて、少なくとも送信相手先及び送信方法に伴う環境設定情報を含む通信情報を事前に記憶しておく工程と、前記医療データを送信するタイミングを指定する信号を、入力操作が可能な可搬型携帯端末が有する所定のボタンの押圧をトリガとして発信する工程と、前記医療データを送信するタイミングを指定する信号を受信する工程をさらに含み、前記医療データを送信するタイミングを指定する信号を受信したら、前記医療データが前記通信情報に基づいて送信されることを特徴とする。
【００１６】
また、本発明にかかるプログラムは、測定された前記医療データを、一又は複数回分保存しておくステップと、通信回線を通じて前記医療データを送信するステップとで構成される医療データの遠隔収集方法を具現化するコンピュータに実行させるプログラムであって、保存されている前記医療データについて、少なくとも送信相手先及び送信方法に伴う環境設定情報を含む通信情報を事前に記憶しておくステップと、入力操作が可能な可搬型携帯端末が有する所定のボタンの押圧をトリガとして発信される前記医療データを送信するタイミングを指定する信号を受信するステップをさらに含み、前記医療データを送信するタイミングを指定する信号を受信したら、前記医療データが前記通信情報に基づいて送信されることを特徴とするコンピュータに実行させる。
【００１７】
かかる構成により、コンピュータ上へ当該プログラムをロードさせ実行することで、家庭内における腹膜透析において患者が測定した医療データを病院側に送信する場合に、患者は送信タイミングのみを指定すれば必要とされる医療データを病院側へ送信することができ、患者にとっての送信作業負担が最小限で済み、医療行為を妨げることなく確実な医療データの収集が期待できる医療データの遠隔収集装置を実現することが可能となる。
【発明の効果】
【００１８】
本発明にかかる医療データの遠隔収集装置によれば、家庭内における腹膜透析において患者が測定した医療データを病院側に送信する場合に、患者は送信タイミングのみを指定すれば必要とされる医療データを病院側へ送信することができ、患者にとっての送信作業負担が最小限で済み、医療行為を妨げることなく確実な医療データの収集が期待できる。
【発明を実施するための最良の形態】
【００１９】
以下、本発明の実施の形態にかかる医療データの遠隔収集装置について、図面を参照しながら説明する。図１は、本発明の実施の形態にかかる医療データの遠隔収集装置の説明図である。
【００２０】
図１において、１１は患者が家庭内等で医療機器を使用した際のデータを測定する医療データ測定部を示し、１２は測定した医療データを適当な記録媒体へ記録する医療データ保存部を、１３は病院側へ医療データを送信する医療データ送信部を、１４は医療データを送信する通信回線を、１５は医療データ受信部を、それぞれ示している。
【００２１】
また、２１は医療データを送信する際に必要な設定情報等を事前に記憶しておく医療データ送信情報記憶部を示している。さらに、２２は患者が医療データを病院へ送信するタイミングを指定する送信タイミング確認信号受信部を、２３は患者が送信タイミングを指定するための入力媒体における送信タイミング確認信号送信部を、それぞれ示している。当該入力媒体としては、パーソナルコンピュータやＰＤＡ、あるいは携帯電話等が考えられる。本実施の形態においては携帯電話の場合について説明する。
【００２２】
図１に示すように、本実施の形態においては、医療データ送信部１３から医療データを送信する送信タイミングのみを患者が指定すれば、特に送信条件やデータ自体の入力を患者が行うことなく送信することができる点に特徴を有する。すなわち、病院側への送信条件等については、事前に医療データ送信情報記憶部２１に記憶しておき、送信時に当該情報を読み出すことで、自動的に送信条件が設定されるようになっている。
【００２３】
また、送信タイミングの指定は、患者自身の手によって送信タイミング確認信号送信部２３から行われる。ここで、入力すべき情報としては、送信を行うという意思のみで足りることから、携帯電話の特定のボタンについて送信タイミング発信キーとして設定しておくことにより、患者が当該ボタンを押すだけで測定された医療データが病院側へ送信されることになる。例えば、携帯電話の‘＃’ボタンをダブルクリックすることを、データ送信のトリガとして設定することが考えられる。
【００２４】
したがって、患者にとっては、体重や血圧、あるいは体温等、異なる測定機器を用いて測定された医療データを、自らの手作業によって入力する必要が無く、各測定機器を医療データ測定部１１へ電気的に接続しておき、測定データをデジタルデータとして転送することによって医療データ保存部１２へ保存することになる。
【００２５】
具体的には図２に示すように、体重計３１、血圧計３２、体温計３３等の周辺データを収集する測定機器と、計量器３４とを、医療データ測定部１１へ電気的に接続しておく。そして、各機器で計測された測定データをデジタルデータとして収集し、医療データ保存部１２へ保存する。
【００２６】
次に、携帯電話に設定された送信タイミング発信トリガとして設定されたボタンを押すことによって、送信タイミング確認信号送信部２３から送信タイミング確認信号が発信される。送信タイミング確認信号受信部２２において、送信タイミング確認信号を受信したら、医療データ送信情報記憶部２１から送信条件等を抽出するとともに、医療データ保存部１２に保存されている未送信の医療データを抽出して、医療データ送信部１３から病院側へ送信することになる。
【００２７】
なお、携帯電話と患者側における遠隔収集装置との間は、図３に示すようにコネクタを介して有線で接続するものであっても良いし、携帯電話本来の機能を利用して無線で接続するものであっても良い。
【００２８】
また、収集した各種の医療データについて、統計処理等の加工を行って、イメージデータあるいはグラフ表示データ等として収集装置から病院側へ送信することも考えられる。こうすることで、視覚的に患者の治療状況を把握することができるので、病院側で新たに情報処理を行うことなく適切な措置を取ることが可能となる。
【００２９】
具体的には、図４に示すように、医療データ保存部１２に保存されているデータについて、日ごと、週ごと、あるいは月ごとに集計した統計データを、棒グラフや折れ線グラフ、あるいは傾向分布を解析した結果を示すグラフ等に整理し、かかるグラフ等をグラフィック表示するための映像表示データを生成する医療データグラフィック処理部４１をさらに有し、生成された映像表示データについては、医療データ保存部１２に従来のデジタルデータとともに保存しておくことになる。
【００３０】
さらに、携帯電話を送信タイミング発信トリガとして用いるだけではなく、患者にとって医療データを表示する手段として用いることも考えられる。すなわち、携帯電話の有する表示部分を活用して、本来病院側へ送信するべき統計処理を行った映像表示データを、携帯電話側にも送信できるようにすることによって、患者にとって自分の治療の進展状況を目視確認することが可能となる。
【００３１】
次に、図５は本発明の実施の形態にかかる医療データの遠隔収集装置における処理の流れ図を示している。図５において、まず患者ごとに、病院側へ送信するに当たって設定しておくべき通信情報を事前に設定登録しておく（ステップＳ５１）。次に、透析を実行する前に測定しておくべき項目について測定してから（ステップＳ５２）、透析を実行し（ステップＳ５３）、透析終了後の除水量や体重変化等を測定する（ステップＳ５４）。これらの測定された医療データは、医療データ保存部１２において保存されることになる（ステップＳ５５）。
【００３２】
そして、送信タイミング確認信号を受信したら（ステップＳ５６：Ｙｅｓ）、病院側サーバへ前回送信時から現在までに蓄積されている医療データ全てについて、事前に登録されている通信情報に基づいて送信を開始する（ステップＳ５７）。
【００３３】
全ての医療データの送信が完了して、病院側サーバから正常終了信号が送信されてきた時点で（ステップＳ５８：Ｙｅｓ）、医療データ保存部１２に蓄積されている医療データをすべて消去する（ステップＳ５９）。
【００３４】
医療データの送信途上で通信障害等が発生している場合には（ステップＳ５８：Ｎｏ）、所定の回数だけ再送を試み、通信障害が解消しない場合には医療データを消去せずに処理を終了する（ステップＳ６０：Ｙｅｓ）。
【００３５】
以上のように、本実施の形態によれば、家庭内における腹膜透析において患者が測定した医療データを病院側に送信する場合に、患者は送信タイミングのみを指定すれば必要とされる医療データを病院側へ送信することができ、患者にとっての送信作業負担が最小限で済み、医療行為を妨げることなく確実な医療データの収集が期待できる。
【００３６】
なお、本発明の実施の形態にかかる医療データの遠隔収集装置を実現するプログラムは、図６に示すように、ＣＤ−ＲＯＭ６２−１やフレキシブルディスク６２−２等の可搬型記録媒体６２だけでなく、通信回線の先に備えられた他の記憶装置６１や、コンピュータ６３のハードディスクやＲＡＭ等の記録媒体６４のいずれに記録されているものであっても良く、プログラム実行時には、プログラムはローディングされ、主メモリ上で実行される。
【００３７】
また、本発明の実施の形態にかかる医療データの遠隔収集装置により生成された各種の医療データ等についても、図６に示すように、ＣＤ−ＲＯＭ６２−１やフレキシブルディスク６２−２等の可搬型記録媒体６２だけでなく、通信回線の先に備えられた他の記憶装置６１や、コンピュータ６３のハードディスクやＲＡＭ等の記録媒体６４のいずれに記録されているものであっても良く、例えば本発明にかかる医療データの遠隔収集装置を利用する際にコンピュータ６３により読み取られる。
【産業上の利用可能性】
【００３８】
本発明の医療データの遠隔収集装置によれば、家庭内において患者が測定した医療データを病院側に送信する際に、患者にとっての送信作業負担が最小限で、確実な医療データの収集を可能とする。
【図面の簡単な説明】
【００３９】
【図１】本発明の実施の形態にかかる医療データの遠隔収集装置のブロック構成図
【図２】本発明の実施の形態にかかる医療データの遠隔収集装置における医療データ測定部の概略構成図
【図３】本発明の実施の形態にかかる医療データの遠隔収集装置における携帯電話接続時の斜視図
【図４】本発明の実施の形態にかかる医療データの遠隔収集装置のブロック構成図
【図５】本発明の実施の形態にかかる医療データの遠隔収集装置における処理流れ図
【図６】コンピュータ環境の例示図
【符号の説明】
【００４０】
１１  医療データ測定部
１２  医療データ保存部
１３  医療データ送信部
１４  通信回線
１５  医療データ受信部
２１  医療データ送信情報記憶部
２２  送信タイミング確認信号受信部
２３  送信タイミング確認信号送信部
３１  体重計
３２  血圧計
３３  体温計
３４  計量器
４１  医療データグラフィック処理部
６１  回線先の記憶装置
６２  ＣＤ−ＲＯＭやフレキシブルディスク等の可搬型記録媒体
６２−１  ＣＤ−ＲＯＭ
６２−２  フレキシブルディスク
６３  コンピュータ
６４  コンピュータ上のＲＡＭ／ハードディスク等の記録媒体
【図１】
2006277757.tif 000003
【図２】
2006277757.tif 000004
【図３】
2006277757.tif 000005
【図４】
2006277757.tif 000006
【図５】
2006277757.tif 000007
【図６】
2006277757.tif 000008